(57)【要約】【課題】  この発明は、鋼製サッシの割付と同様の外観を形成できると共に、所定の強度を有し且つ取付け作業の作業性を向上させることのできるガラス窓構造を提供する。【解決手段】  この発明は、アルミ材からなる上下左右の枠からなる枠体と、該枠体に嵌め込まれる一枚のガラスと、両端が前記枠体の上下枠に支持される複数の縦桟及び両端が前記枠体の左右枠に支持される複数の横桟を所定の幅で交差させることによって形成され、前記ガラスを両面から挟持固定する一対の固定桟によって構成される。【選択図】  図２
2006241917.tif 000002
【特許請求の範囲】
【請求項１】
アルミ材からなる上下左右の枠からなる枠体と、
該枠体に嵌め込まれる一枚のガラスと、
両端が前記枠体の上下枠に支持される複数の縦桟及び両端が前記枠体の左右枠に支持される複数の横桟を所定の幅で交差させることによって形成され、前記ガラスを両面から挟持固定する一対の固定桟によって構成されることを特徴とする窓ガラス構造。
【請求項２】
前記固定桟と前記ガラスの間には、弾性部材が介在されることを特徴とする請求項１記載の窓ガラス構造。
【請求項３】
前記縦桟及び横桟は、内部が中空のガラス固定ブロックと、該固定ブロックに沿って立設するリッジとによって構成され、
前記縦桟と前記横桟の交差部分では、前記縦桟及び前記横桟の一方のガラス固定ブロックには、他方のガラス固定ブロックに噛合する部分に、ガラス固定ブロックの幅に相当する長さでブロック側切欠部が形成され、且つ前記縦桟及び前記横桟の他方のリッジには、前記ブロック側切欠部上を橋架する前記縦桟及び前記横桟の一方のリッジが噛合するリッジ側切欠部が形成されることを特徴とする請求項１又は２記載の窓ガラス構造。
【発明の詳細な説明】
【技術分野】
【０００１】
この発明は、鋼製サッシが使用されていた古い建築物の窓枠を改修時に、鋼製サッシに代えてアルミサッシを使用しても旧来の外観を維持することのできるガラス窓構造に関する。
【背景技術】
【０００２】
特許文献１は、上枠、左右の縦枠及び下枠から構成される屋外開口部サッシ枠であって、アルミ形材と樹脂形材から形成された複合サッシ枠構造を開示する。この複合サッシ枠構造は、室外部をアルミ形材で形成し、室内部を樹脂形材で形成し、それぞれ異なる色調で統一すると共に、室外部と室内部との間を低熱伝導性材で断熱したものである。
【０００３】
特許文献２は、和室にあったデザインで、且つ印象的な窓を形成できる窓構造を開示する。この窓構造は、外壁に設けられた開口部に嵌め込まれた窓サッシと、上記開口部の窓サッシより屋内側に嵌め込まれた屋内側窓枠とを備え、前記屋内側窓枠の上下左右の枠部のうちの少なくとも一部の枠部に、上記開口部の周囲の壁内面に施された内装仕上げと同様の内装仕上げが施されるものである。これによって、屋内側から見た場合に、窓枠がないように見えるものである。
【特許文献１】特開２００４−３００８１０号公報
【特許文献２】特開平１１−１５９２４９号公報
【発明の開示】
【発明が解決しようとする課題】
【０００４】
上述した特許文献からわかるように、窓枠や桟等はアルミサッシで形成する方が加工がし易く、コストもかからない。
【０００５】
しかしながら、アルミサッシが使用されていなかった時代、大きな建築物の窓には、そのほとんどに鋼製サッシが用いられており、さらに、ガラスのサイズが限定されていたこと及び鋼製サッシの加工性が良いことから、小割の桟を多用した意匠を凝らした窓が用いられていた。
【０００６】
近年、上述したような大きな建築物は、その老朽化が問題となっており改修する必要性が生じていた。また、これらの建築物の多くは文化的価値が高く、旧来と同様の構造の窓枠と交換することが望まれるが、窓枠自体の製造にコストがかかり、さらにガラスのパテ止め等、技術的に廃れた点もあり、アルミサッシへ交換するケースが多くなってきている。
【０００７】
しかしながら、アルミ材によって鋼製と同様の構造のサッシや桟を形成した場合、強度の点で問題が生じる。
【０００８】
そこで、この発明は、鋼製サッシの割付と同様の外観を形成できると共に、所定の強度を有し且つ取付け作業の作業性を向上させることのできるガラス窓構造を提供することにある。
【課題を解決するための手段】
【０００９】
したがって、この発明は、アルミ材からなる上下左右の枠からなる枠体と、該枠体に嵌め込まれる一枚のガラスと、両端が前記枠体の上下枠に支持される複数の縦桟及び両端が前記枠体の左右枠に支持される複数の横桟を所定の幅で交差させることによって形成され、前記ガラスを両面から挟持固定する一対の固定桟によって構成されることにある。尚、前記枠体及び固定枠は、鋼製サッシの外観、いわゆる色合い及び意匠を有することが望ましい。
【００１０】
これによって、一つの窓枠に、一枚のガラスを装着し、複数の縦桟及び複数の横桟を交差させることによって形成された固定桟によって前記ガラスを挟持固定するようにしたことから、複数の窓枠に一枚一枚ガラスを装着する作業をすることなく一枚の大きいガラスを装着するだけでよく、また縦桟及び横桟によって形成された固定桟は、ガラスによってその強度が補強されるため、鋼製サッシと同様の意匠にすることができるものである。
【００１１】
また、前記固定残と前記ガラスの間には、弾性部材が介在されることが望ましい。この弾性部材によってあたかもパテ止めされた外観を形成することができると共に、ガラスへの振動若しくはガラスの振動を吸収することができるものである。
【００１２】
さらに、前記縦桟及び横桟は、内部が中空のガラス固定ブロックと、該固定ブロックに沿って立設するリッジとによって構成され、前記縦桟と前記横桟の交差部分では、前記縦桟及び前記横桟の一方のガラス固定ブロックには、他方のガラス固定ブロックに噛合する部分に、ガラス固定ブロックの幅に相当する長さでブロック側切欠部が形成され、且つ前記縦桟及び前記横桟の他方のリッジには、前記ブロック側切欠部上を橋架する前記縦桟及び前記横桟の一方のリッジが噛合するリッジ側切欠部が形成されることが望ましい。
【発明の効果】
【００１３】
この発明によれば、一枚のガラスを装着し、複数の縦桟及び複数の横桟を交差させることによって形成された固定桟によって前記ガラスを挟持固定するようにするので、低コストで老朽化した鋼製サッシと交換できると共に、その外観を損なうことがないという効果を奏する。また、一枚ガラスを装着し、それを固定桟によって挟持固定するため、取付け作業が容易であり、交換コストを低減することができるという効果も奏する。
【発明を実施するための最良の形態】
【００１４】
以下、この発明の実施例について図面により説明する。
【実施例】
【００１５】
古い文化財的な建築物のガラス窓構造１は、例えば図１に示すように、建築物の開口部２に嵌め込まれる枠体３と、この枠体３の両端が固定される複数の横桟４及び縦桟５からなる固定桟１０と、これら横桟４及び縦桟５によって画成された複数の空間６を閉塞するガラス部７とによって構成されている。
【００１６】
従来のガラス窓構造１では、前記枠体３及び複数の横桟４及び縦桟５からなる固定桟１０は鋼によって形成され、それらによって画成される空間６を閉塞するそれぞれのガラス部７には、その開口面積に応じたガラスがパテ止めによって嵌め込まれていた。
【００１７】
これに対して本願発明の実施例に係るガラス窓構造１は、図２に示すように、前記開口部２に嵌め込まれて固定される枠体３と、該枠体３に両端が固定される一対の固定桟１０と、この一対の固定桟１０によって挟持固定されるガラス８とによって構成される。
【００１８】
前記枠体３は、図２及び図３に示すように、一対の横枠部３Ａと一対の縦枠部３Ｂとによって構成され、それぞれの横枠部３Ａ及び縦枠部３Ｂは、前記開口部２の周縁に固着される外側固定部３４と、略コ字状に形成された内側固定部３２と、前記固定桟１０の下記するリッジ１２Ａ，１２Ｂの端部が当接する周壁部３１を具備する。また、前記内側固定部３２は、前記ガラス８が弾性緩衝固定部材３０を介して固定される内側溝部３３を有し、また内側溝部３３の両側部分には、前記固定桟１０の端部が当接する。
【００１９】
前記固定桟１０は、図２乃至図４で示されるように、横桟４と縦桟５とを組み合わせ形成されるもので、それぞれの横桟４及び縦桟５は、内部中空の断面長方形の細長いガラス固定ブロック１１Ａ，１１Ｂと、このガラス固定ブロック１１Ａ，１１Ｂの長手方向に沿って略中央から立設するように一体に形成されたリッジ１２Ａ，１２Ｂとによって構成される。そして、この実施例では、縦桟５を構成するガラス固定ブロック１１Ｂに、前記横桟４を構成するガラス固定ブロック１１Ａが嵌り込むための切欠部１３を形成すると共に、この切欠部１３上のリッジ１２Ｂを橋架部１５として残すものである。これに対して、横桟４を構成するリッジ１２Ａには、前記縦桟５の橋架部１５が噛合する切欠部１４が形成されるので、前記横桟４に前記縦桟５を嵌め込むことができるものである。また、この実施例では、ガラス固定ブロック１１Ｂに前記切欠部１３を形成し、リッジ１２Ａに切欠部１４を形成するようにしたが、逆の構成としても良いものである。
【００２０】
また、前記固定桟１０とガラス８との間には、前記ガラス８を効果的に固定保持するために弾性緩衝部材５０が設けられる。この弾性緩衝部材５０としては、合成樹脂、合成ゴム等の弾性部材があり、この場合、固定桟１０の内側に貼り付けてガラス８を挟持固定する。弾性緩衝部材５０としては、光硬化性樹脂や、溶剤硬化性樹脂などの液体状の樹脂を前記ガラス８と固定桟１０との間に注入し、後に硬化させる方法もある。
【００２１】
これによって、複数の横桟４と複数の縦桟５は、十文字に嵌め込まれて固定桟１０が形成され、前記ガラス８を、前記弾性緩衝部材５０を介して挟持固定するように前記枠体３に固定される。この結果、前記横桟４及び縦桟５のガラス固定ブロック１１Ａ，１１Ｂが前記枠体３の内側固定部３３の側面と面一となり、さらに前記リッジ１２Ａ，１２Ｂが周壁部３１と面一となるものである。
【００２２】
さらに、前記弾性緩衝部材５０によって、ガラス８自体の振動の抑制及び固定桟１０からガラス８への振動の伝達の防止が行われると共に、従来のパテ止めと外観を類似させることができるため、一枚のガラス８であるにも関わらず、複数のガラスが桟に固定されるという従来の小割の窓の外観を維持できるものである。
【００２３】
また、固定桟１０をアルミによって形成することによって生じる固定桟１０自体の強度の問題も、ガラス８によって補強できるため、アルミで形成することによって生じる不具合を解消できるものである。
【００２４】
さらに、前記枠体３にガラス８を装着し、両側から固定桟１０によって固定するだけであるため、新しいサッシへの交換作業を簡単に且つ効率よく行うことができると共に、交換コストを低減することができるものである。
【図面の簡単な説明】
【００２５】
【図１】本願発明の実施例に係るガラス窓構造の一例を示した全体図である。
【図２】ガラス窓構造を示した一部切り取り拡大斜視図である。
【図３】ガラス窓構造の枠体及び固定桟の組立状態を示した説明図である。
【図４】固定桟の組立状態を示した説明図である。
【符号の説明】
【００２６】
１  ガラス窓構造
２  開口部
３  枠体
３Ａ  横枠部
３Ｂ  縦枠部
４  横桟
５  縦桟
６  空間
８  ガラス
１０  固定桟
１１Ａ，１１Ｂ  ガラス固定ブロック
１２Ａ，１２Ｂ  リッジ
１３  切欠部
１４  切欠部
１５  橋架部
３０  弾性緩衝固定部材
５０  弾性緩衝部材
【図１】
2006241917.tif 000003
【図２】
2006241917.tif 000004
【図３】
2006241917.tif 000005
【図４】
2006241917.tif 000006